(57)【要約】      （修正有）【課題】柱状体に対して配線・配管材用機器を固定する固定台座や収納函を、簡単に固定できる固定部材を提供する。【解決手段】ボルト体６で一対の腕部を近接させることで取り囲んだ柱状体Ｐを締め付け、固定部材１を柱状体Ｐに取着する。そのボルト体６を利用して、固定台座や収納函等の被固定体４を支持させる。【選択図】図５
0003207352.tif 000002
【実用新案登録請求の範囲】
【請求項１】
被固定体を、ビニルハウス等の骨材を構成する柱状体に固定するための固定部材であって、
前記柱状体の外周面を挟圧するように取り囲む基部、および前記基部から互いに向かい合うように延設された、前記ボルト体の先端が通過する通孔を有する一方端延出部及び前記通孔を通過した前記ボルト体が螺着される雌ねじ部を有する他方端延出部と、
前記一方端延出部の反他方端延出部に向けて突出し、先端に前記被固定体に当接する面を有する突出部と、を備えた固定部材。
【請求項２】
前記突出部は、前記一方端延出部に取着される取着部と、前記取着部から立設しボルト体が内部を通過する中空筒状の筒部と、を備え、前記一方端延出部に着脱可能な別体の中空筒体から構成されている請求項１に記載の固定部材。
【請求項３】
略Ｃ字状に湾曲形成され円柱の外周を取り囲み挟圧する基部および、前記基部の両端から延設された延出板部を備え、前記各延出板部は、通孔を有する一方端延出部と、雌ねじ部を有する他方端延出部と、からなる本体と、
前記雌ねじ部に螺着されるボルト体が挿通可能な貫通孔を備え、前記貫通孔内が前記通孔と連通し前記一方端延出部の反他方端延出部側に向けて突出するように前記本体に組付けられる中空筒体と、を備えた固定部材。
【請求項４】
前記通孔は、前記一方端延出部の延出方向に延びる長孔で構成され、前記中空筒体は、前記長孔の延びる方向に対向する端縁に係止する係止爪を備える請求項２または請求項３に記載の固定部材。
【請求項５】
前記貫通孔内面は、前記中空筒体の先端から前記一方端延出部に向けて内部が広がるテーパ面で構成されている請２から請４のいずれか一項に記載の固定部材。
【請求項６】
ボルト体が挿通される固定孔と、配線・配管材設備を取り付ける取付け部と、を有する被固定体と、請求項１から請求項５のいずれか一項に記載の固定部材との装置であって、前記被固定体は前記基部に当接することなく前記固定部材に支持されることを特徴とする被固定体と固定部材との装置。
【考案の詳細な説明】
【技術分野】
【０００１】
本考案は、ビニールハウスを構成する骨材等の柱状体に、ブレーカーやスイッチ等の配線器具などを据え付ける台座や収容ボックスを固定する固定部材に関するものである。
【背景技術】
【０００２】
例えば、電柱や電気機器取付けポール等の柱状体に制御盤、配電盤等の配電機器や器具据え付け台座を固定する場合、帯状のバンドを柱状体に巻回して締め付けるとともに、バンドに支持させた配電機器取付け部材に配電機器を固定していた。
【先行技術文献】
【特許文献】
【０００３】
【特許文献１】特開平１１−２１８１０８号  公報
【考案の概要】
【考案が解決しようとする課題】
【０００４】
帯状のバンドを巻回して締め付ける従来のポール用取付金具は、種々の太さのポールに対応できる反面、被取付物固定金具、ボルト、取付バンドと、ポールに固定するために多数の部材を必要とし、さらには、配電機器を固定するためのボルトナットを用意するため、部材管理が煩雑となり、作業工程も多く、手間であった。
【０００５】
そこで、本項案は上記課題を解決すべく、部材点数を少なくして、ビニールハウスを構成する骨材等の柱状体に被固定体を簡単に固定できる固定部材を提供することを目的とする。
【課題を解決するための手段】
【０００６】
本考案は、以下のとおりである。
請求項１に記載の固定部材は、被固定体を、ビニルハウス等の骨材を構成する柱状体に固定するための固定部材であって、前記柱状体の外周面を挟圧するように取り囲む基部、および前記基部から互いに向かい合うように延設された、前記ボルト体の先端が通過する通孔を有する一方端延出部及び前記通孔を通過した前記ボルト体が螺着される雌ねじ部を有する他方端延出部と、前記一方端延出部の反他方端延出部に向けて突出し、先端に前記被固定体に当接する面を有する突出部と、を備えた固定部材であることを要旨とする。
請求項２に記載の固定部材は、請求項１に記載の固定部材において、前記突出部は、前記一方端延出部に取着される取着部と、前記取着部から立設しボルト体が内部を通過する中空筒状の筒部と、を備え、前記一方端延出部に着脱可能な別体の中空筒体から構成されていることを要旨とする。
請求項３に記載の固定部材は、略Ｃ字状に湾曲形成され円柱の外周を取り囲み挟圧する基部および、前記基部の両端から延設された延出板部を備え、前記各延出板部は、通孔を有する一方端延出部と、雌ねじ部を有する他方端延出部と、からなる本体と、
前記雌ねじ部に螺着されるボルト体が挿通可能な貫通孔を備え、前記貫通孔内が前記通孔と連通し前記一方端延出部の反他方端延出部側に向けて突出するように前記本体に組付けられる中空筒体と、を備えた固定部材であることを要旨とする。
請求項４に記載の固定部材は、請求項２または請求項３に記載の固定部材において、前記通孔は、前記一方端延出部の延出方向に延びる長孔で構成され、前記中空筒体は、前記長孔の延びる方向に対向する端縁に係止する係止爪を備えることを要旨とする。
請求項５に記載の固定部材は、請求項２から請求項４のいずれか一項に記載の固定部材において、前記貫通孔内面は、前記中空筒体の先端から前記一方端延出部に向けて内部が広がるテーパ面で構成されていることを要旨とする。
請求項６に記載の固定部材は、ボルト体が挿通される固定孔と、配線・配管材設備を取り付ける取付け部と、を有する被固定体と、請求項１から請求項５のいずれか一項に記載の固定部材との装置であって、前記被固定体は前記基部に当接することなく前記固定部材に支持されることを特徴とする被固定体と固定部材との装置であることを要旨とする。
【考案の効果】
【０００７】
本考案の固定部材、および被固定体と固定部材との装置によれば、被固定体の側から挿通したボルト体を利用して、ビニールハウスの骨材等の柱状体に固定部材を固定できるとともに、被固定体を固定部材に支持させることができる。
【図面の簡単な説明】
【０００８】
【図１】本考案の固定部材の一実施例を示す斜視図。
【図２】図１に示す固定部材であって、（ａ）は正面図、（ｂ）は平面図、（ｃ）は左側面図、（ｄ）は右側面図、（ｅ）は底面図、（ｆ）は（ｂ）に示すＸ−Ｘ線断面図。
【図３】図１に示す固定部材の一部である本体を示す斜視図。
【図４】図１に示す固定部材の一部である中空筒体であって、（ａ）は正面図、（ｂ）は平面図、（ｃ）は左側面図、（ｄ）は右側面図、（ｅ）は底面図、（ｆ）は（ｂ）に示すＹ−Ｙ線断面図。
【図５】本考案の固定部材を用いて柱状体に被固定体を固定した使用状態を示す斜視図。
【図６】図５の使用状態における横断面図。
【図７】本考案の使用方法を示す概略図。
【図８】図５の使用状態においてボルト体の先端を先端カバーで覆った状態を示す図。
【図９】本考案の固定部材の一部である中空筒体と先端カバーが一体になった例を示す斜視図。
【図１０】本考案の固定部材と先端カバーが一体になった例を示し、（ａ）はその斜視図、（ｂ）はその横断面図。
【図１１】本考案の固定部材の別例を示す斜視図。
【考案を実施するための形態】
【０００９】
以下、図面を参照しながら、本考案を詳細に説明する。尚、本考案は、添付した図面の記載に限定されるものではない。
まず、本考案の一実施例を図１乃至図７に従って説明する。符号１は例えばビニルハウスの骨材を構成する柱状体Ｐ（円柱）に、配線・配管材設備を取り付ける取付け部４２を有する被固定体４を構成する取付け台座や収納函を固定するための固定部材である。固定部材１は、略Ｃ字状に湾曲形成され円柱の外周面を挟圧するように取り囲む基部２１と、基部の両端から延設された延出板部２２と、を有する本体２と、本体２に組付けられた、本体２とは別体の中空筒体３とからなる。
【００１０】
まず、本体２について図１乃至図３を用いて説明する。本体２は、金属製板材をプレス加工して形成され、円柱（柱状体Ｐ）の外周面に沿うように円弧状の内面が形成された一対の腕部（２１ａ、２１ｂ）と、両腕部の基端側で互いを繋ぐ略コ字状に膨出した繋ぎ部２８と、両腕部の先端側からそれぞれ延出されてた一対の延出板部２２（２３，２５）と、からなり、両腕部（２１ａ、２１ｂ）と繋ぎ部２８とにより基部を構成している。各延出板部（２３、２５）が離間近接するように両腕部（２１ａ、２１ｂ）と繋ぎ部２６との接続箇所２６ａで塑性変形されて、両延出板部（２３、２５）間から円柱（柱状体）を受け入れ可能な位置まで両延出板部を離間可能であるとともに、両延出板部（２３、２５）を近接させることで円柱（柱状体Ｐ）の外面を両腕部（２１ａ、２１ｂ）が挟圧し本体１を前記円柱（柱状体Ｐ）に取着可能である。
【００１１】
詳細には、一対の延出板部２２（２３、２５）のうち一方の延出板部は、延出方向に延びる略トラック形状の長孔からなる通孔２４が形成された一方端延出部２３を構成し、他方の延出板部は、通孔を通過したボルト体６の先端が螺着される雌ねじ部２６が螺刻された他方端延出部２５を構成している。
【００１２】
また、本体２の幅方向の両側には、両腕部（２１ａ、２１ｂ）の基端側から各延出板部の先端近傍にかけて外側に折り返された補強リブ２７が形成されて両腕部（２１ａ、２１ｂ）の円弧の形状および両腕部（２１ａ、２１ｂ）と延出板部２２（２３、２５）とがなす角度を維持している。換言すると基部２１は補強リブ２７を有すると言える。
【００１３】
繋ぎ部２８は、両腕部（２１ａ、２１ｂ）と接側された箇所から垂れ下がる両側壁（２８ａ、２８ｂ）と、両側壁とを連結する底部２８ｃと、から構成され、底部２８ｃには貫通形成されて別の部材を本体に取付けることができる取付け孔が形成されている。なお、この取付け孔や取付けされる別の部材については本考案と関係がないので、説明を省略する。また、繋ぎ部２８の形状は、この形態に限らず、例えば両腕部の内面弧状が連続する形態として基部２１を構成しても良い。
【００１４】
続いて、中空筒体３について図１、図２及び図４を用いて説明する。中空筒体３は、四角板状の基板３４と、基板３４の一方に立設された円筒状の筒部３５および他方に設けられ本体に係止する係止爪３３とを備える。筒部３５の先端から基板３４の他方の面に向けて貫通した貫通孔３１が形成され、その内部は筒部３５の先端から基板の他方の面の側に向けて広がるテーパ面３１を構成している。また、係止爪３３は、対向して一対設けられており、基板３４の他方の面から突設されて、本体２の通孔２４に係止するように構成されている。さらに、筒部３５の先端は貫通孔３１の軸心と直交する平面が形成され、後述する被固定体の固定孔周縁に当接する当接面３６を構成している。
【００１５】
本体２と中空筒体３が組付けられた状態を図１および図２を用いて説明する。中空筒体３の係止爪３３は、その対向方向が、通孔２４の延びる方向（一方端延出部２３の延出方向）に沿うようにして通孔２４に挿入されて通孔２４の対向する弧状箇所に係止爪３３が係止することで組付けられている。中空筒体３の貫通孔３１は、他方端延出部２５が有する雌ねじ部２６に螺着されるボルト体が挿通可能な大きさとなっているとともに、通孔２４が長孔であることと、貫通孔３１内面がテーパ面３２で構成されていることにより、ボルト体が通孔２４の貫通方向に沿っていない斜めの状態でも雌ねじ部２６に螺着させることができ、通孔２４に対して斜めの状態で螺着を開始し、他方端延出部２５を近接させるように引き寄せながら通孔２４の貫通方向に沿った姿勢へとボルト体の変位を可能としている。また、貫通孔３１はボルト体を通孔２４へと案内する案内部としても作用する。
【００１６】
ここで、本考案にかかる固定部材１によって柱状体Ｐ（円柱）に固定される被固定体４について説明する。被固定体４は、図５乃至図７に示すように板状をなし、固定部材１の雌ねじ部２６に螺着されるボルト体６が挿通される固定孔４１を有する。そして、板状の背面を柱状体Ｐ（円柱）に沿うようにして固定部材１に支持され、前面には、ブレーカーやスイッチ、その他の配線・配管材設備（図示しない）が取り付けられる取付け部４２が設けられている。つまり、被固定体は、ボルト体が挿通される固定孔４１および配線・配管材設備を取り付ける取付け部４２を有する。
【００１７】
続いて、本実施形態にかかる固定部材１の使用方法について、特に図５乃至図７を用いて説明する。まず、図７（ａ）に示すように、両延出板部（２３、２５）間からビニールハウスの骨材を構成する円柱（柱状体Ｐ）を内部に配置する。この時、必要があれば延出板部（２３、２５）間を手で広げるように本体２を塑性変形させても良い。次に、両延出板部（２３、２５）を近接させるように本体２を塑性変形させて柱状体Ｐに仮取着する。仮に塑性変形しにくくて仮取着できなければ、そのまま手で把持しておく。そして、図７（ｂ）に示すように、被固定体４の前面から固定孔４１にボルト体６を挿通するともに、中空筒体３の貫通孔３１および一方端延出部２３の通孔２４を通過させ、雌ねじ部２６に螺着することにより、両延出部（２３、２５）が近接して、基部２１が円柱（柱状体Ｐ）の外周面を挟圧し、円柱（柱状体Ｐ）の長手方向にずれることなく取着される。そして、取着した状態では図６に示すように、被固定体４の固定孔４１周縁に筒部３５の先端（当接面３６）が当接し、円柱（柱状体Ｐ）に対して被固定体４の背面が離間した状態で支持、固定されることとなる。特にこの実施形態においては、被固定体４は、基部２１にも当接しないように中空筒体の筒部３５の高さが設定されている。
【００１８】
本実施形態で把握される作用効果について説明する。本実施形態においては、円柱（柱状体Ｐ）に固定部材１を取着するためのボルト体６を用いて被固定体４を固定部材１に支持させているため、部品点数が少なく、ボルト体６を締め付ける作業も一回で済む。また、円柱（柱状体Ｐ）に対して離間させて被固定体４を支持することができるため、ビニールハウスのビニールに被固定体４が押し当てられる恐れが少なく、ビニールが破れる等の問題が生じない。
【００１９】
また、円柱（柱状体Ｐ）に仮取着した状態で、被固定体の前面からボルト体を雌ねじ部２６に螺着するのみで被固定体および固定部材が固定できるため、例えばビニールハウスのビニールが邪魔して手が入らないような箇所でも固定することができる。
【００２０】
本実施形態においては、中空筒体３を本体２と別体に構成したことにより、先に柱状体Ｐ（円柱）に本体２を仮取着した状態で中空筒体３を組付けることも可能であり、仮取着時の塑性変形させる作業の際に邪魔にならない。また、中空筒体の筒部３５の高さを、被固定体４が基部２１に当接しない高さに設定されているため、確実に柱状体Ｐ（円柱）から離間させることができる。さらに、中空筒体３の先端を平坦な面とし、被固定体４の固定孔周縁に面で当接する当接面３６を構成しているため、被固定体４を安定した姿勢で支持することができる。
【００２１】
なお、本考案は上記実施形態に限らず、以下のように変更することも可能である。例えば、中空筒体の筒部２５は、円筒状ではなく多角形状の断面からなる筒部でもよく、四角形状の基板の外形のまま厚みを大きくして構成した筒部であっても良い。また、貫通孔３１は円孔でなくとも、ボルト体６が挿通可能な大きさであれば良く。ボルト体６の螺着時にボルト体６がまっすぐ挿通できれば、貫通孔内面がテーパ面３２を構成していなくても良いし、ボルト体６の挿通方向に向かって貫通孔内部が広がるように構成しているが、筒部３５の先端から基端にかけて同一の大きさとしても良い。さらに、係止爪３３は通孔２４に挿通されて係止しているが、一方端延出部２３の外縁に係止するように構成しても良く、また、他方端延出部２５に係止して組付けられるように構成しても良い。なお、他方端延出部２５に組付ける場合には、柱状体Ｐ（円柱）に対して本体２を仮取着した状態で他方端延出部２５に組付けることが望ましい。
【００２２】
さらに、本考案の固定部材１は、螺着されるボルト体６の先端を覆う先端カバーを有していても良い。具体的には、図８に示すように、使用するボルト体６が長く、雌ねじ部２６を超えて突出する量が大きい時に、そのボルト体６の先端を先端カバー５で覆うことで、ビニールハウスのビニールを局所的に押圧して破れる等の不具合を防止することができる。この先端カバー５は、図９乃至図１０に示すように、中空筒体３とともに合成樹脂で一体に成形することが考えられる。この場合には、別に先端カバー５を用意する必要がなく、必要に応じて基板３４からちぎって使用することができる。もちろん、ボルト体が大きく突出していなくても、常にボルト体の先端を覆うために使用しても良い。
【００２３】
また、本体２と当接面３６（当接面３６を有する中空筒体３）が別体の例を示したが、図１１にあるように、当接面３６を一体に構成することも可能である。具体的には一方端延出部２３に設けれられた補強リブ２７の高さを延長することで、一方端延出部２４から立設する突出部を構成し、さらに、先端を折り返すことで被固定体４の固定孔４１周縁に当接する当接面３６を構成している。これによれば、より部材点数が減少する。
【００２４】
本考案の固定部材１は、垂直に立設した柱状体Ｐに取着されるものに限らず、水平に布設された柱状体に取着することも可能である。また、柱状体Ｐは円柱に限らず、本体２の基部２１内面の形状を変更して他の断面形状の柱状体に取着できるようにしても良い。さらには、被固定体４は、板状のものに限らず、収納函であっても良い。また、他方端延出部２５に螺刻された雌ねじ部２６に代えてナット体を溶接して雌ねじ部としても良い。
【符号の説明】
【００２５】
１    固定部材
２    本体
２１  基部
２２  延出板部
２３  一方端延出部
２４  通孔
２５  他方端延出部
２６  雌ねじ部
３    中空筒体
３１  貫通孔
３２  テーパ面
３３  係止爪
３４  基板
３５  筒部
３６  当接面
４    被固定体
４１  固定孔
５    先端カバー
６    ボルト体
Ｐ    柱状体
【図１】
0003207352.tif 000003
【図２】
0003207352.tif 000004
【図３】
0003207352.tif 000005
【図４】
0003207352.tif 000006
【図５】
0003207352.tif 000007
【図６】
0003207352.tif 000008
【図７】
0003207352.tif 000009
【図８】
0003207352.tif 000010
【図９】
0003207352.tif 000011
【図１０】
0003207352.tif 000012
【図１１】
0003207352.tif 000013
【手続補正書】
【提出日】平成28年8月25日(2016.8.25)
【手続補正１】
【補正対象書類名】実用新案登録請求の範囲
【補正対象項目名】全文
【補正方法】変更
【補正の内容】
【実用新案登録請求の範囲】
【請求項１】
被固定体を、ビニルハウス等の骨材を構成する柱状体に固定するための固定部材であって、
前記柱状体の外周面を挟圧するように取り囲む基部、および前記基部から互いに向かい合うように延設された、ボルト体の先端が通過する通孔を有する一方端延出部及び前記通孔を通過した前記ボルト体が螺着される雌ねじ部を有する他方端延出部と、
前記一方端延出部の他方端延出部の反対側に向けて突出し、先端に前記被固定体に当接する面を有する突出部と、を備えた固定部材。
【請求項２】
前記突出部は、前記一方端延出部に取着される取着部と、前記取着部から立設しボルト体が内部を通過する中空筒状の筒部と、を備え、前記一方端延出部に着脱可能な別体の中空筒体から構成されている請求項１に記載の固定部材。
【請求項３】
略Ｃ字状に湾曲形成され円柱の外周を取り囲み挟圧する基部および、前記基部の両端から延設された延出板部を備え、前記各延出板部は、通孔を有する一方端延出部と、雌ねじ部を有する他方端延出部と、からなる本体と、
前記雌ねじ部に螺着されるボルト体が挿通可能な貫通孔を備え、前記貫通孔内が前記通孔と連通し前記一方端延出部の他方端延出部の反対側に向けて突出するように前記本体に組付けられる中空筒体と、を備えた固定部材。
【請求項４】
前記通孔は、前記一方端延出部の延出方向に延びる長孔で構成され、前記中空筒体は、前記長孔の延びる方向に対向する端縁に係止する係止爪を備える請求項２または請求項３に記載の固定部材。
【請求項５】
前記中空筒体の内面は、前記中空筒体の先端から前記一方端延出部に向けて内部が広がるテーパ面で構成されている請求項２から請求項４のいずれか一項に記載の固定部材。
【請求項６】
ボルト体が挿通される固定孔と、配線・配管材設備を取り付ける取付け部と、を有する被固定体と、請求項１から請求項５のいずれか一項に記載の固定部材との装置であって、前記被固定体は前記基部に当接することなく前記固定部材に支持されることを特徴とする被固定体と固定部材との装置。
【手続補正２】
【補正対象書類名】明細書
【補正対象項目名】０００６
【補正方法】変更
【補正の内容】
【０００６】
本考案は、以下のとおりである。
請求項１に記載の固定部材は、被固定体を、ビニルハウス等の骨材を構成する柱状体に固定するための固定部材であって、前記柱状体の外周面を挟圧するように取り囲む基部、および前記基部から互いに向かい合うように延設された、ボルト体の先端が通過する通孔を有する一方端延出部及び前記通孔を通過した前記ボルト体が螺着される雌ねじ部を有する他方端延出部と、前記一方端延出部の他方端延出部の反対側に向けて突出し、先端に前記被固定体に当接する面を有する突出部と、を備えた固定部材であることを要旨とする。
請求項２に記載の固定部材は、請求項１に記載の固定部材において、前記突出部は、前記一方端延出部に取着される取着部と、前記取着部から立設しボルト体が内部を通過する中空筒状の筒部と、を備え、前記一方端延出部に着脱可能な別体の中空筒体から構成されていることを要旨とする。
請求項３に記載の固定部材は、略Ｃ字状に湾曲形成され円柱の外周を取り囲み挟圧する基部および、前記基部の両端から延設された延出板部を備え、前記各延出板部は、通孔を有する一方端延出部と、雌ねじ部を有する他方端延出部と、からなる本体と、
前記雌ねじ部に螺着されるボルト体が挿通可能な貫通孔を備え、前記貫通孔内が前記通孔と連通し前記一方端延出部の他方端延出部の反対側に向けて突出するように前記本体に組付けられる中空筒体と、を備えた固定部材であることを要旨とする。
請求項４に記載の固定部材は、請求項２または請求項３に記載の固定部材において、前記通孔は、前記一方端延出部の延出方向に延びる長孔で構成され、前記中空筒体は、前記長孔の延びる方向に対向する端縁に係止する係止爪を備えることを要旨とする。
請求項５に記載の固定部材は、請求項２から請求項４のいずれか一項に記載の固定部材において、前記中空筒体の内面は、前記中空筒体の先端から前記一方端延出部に向けて内部が広がるテーパ面で構成されていることを要旨とする。
請求項６に記載の固定部材は、ボルト体が挿通される固定孔と、配線・配管材設備を取り付ける取付け部と、を有する被固定体と、請求項１から請求項５のいずれか一項に記載の固定部材との装置であって、前記被固定体は前記基部に当接することなく前記固定部材に支持されることを特徴とする被固定体と固定部材との装置であることを要旨とする。